(57)【要約】【課題】本発明は、使用者によって手動操作により所定時間任意照度の設定を許容し、所定時間経過後には自動的に自動制御に戻ることのできる照明制御システムを提供することを目的とする。【解決手段】請求項１の発明は、周囲の明るさを検出する明るさセンサ１と；明るさセンサの検出値に応じて調光制御される照明器具２と；通常時には、前記明るさセンサの検出値に応じて目標値となるように前記照明器具の調光度を自動制御し、任意の調光度に変更する手動操作時には、手動操作を行った時点から時間の計測を開始し、所定の時間が経過すると、自動制御に移行するように制御する制御手段３と；を具備していることを特徴とする。【選択図】図２
2005108541.tif 000002
【特許請求の範囲】
【請求項１】
周囲の明るさを検出する明るさセンサと；
明るさセンサの検出値に応じて調光制御される照明器具と；
通常時には、前記明るさセンサの検出値に応じて目標値となるように前記照明器具の調光度を自動制御し、任意の調光度に変更する手動操作時には、手動操作を行った時点から時間の計測を開始し、所定の時間が経過すると、自動制御に移行するように制御する制御手段と；
を具備していることを特徴とする照明制御システム。
【請求項２】
前記計測は、計測中にさらに手動操作が行われる場合、計測を初期値に戻すことを特徴とする請求項１の照明制御システム。
【請求項３】
手動操作によって調光された調光度が、あらかじめ記憶している目標照度から推定される調光度より低いときは、手動操作を優先することを特徴とする請求項１または２の照明制御システム。
【請求項４】
手動操作によって調光された調光度が、あらかじめ記憶している目標調光度より低いときは、手動操作を優先することを特徴とする請求項１または２の照明制御システム。
【請求項５】
手動操作制御から自動制御に移行する際には、調光度を徐々に変化させるフェード時間を有することを特徴とする請求項１ないし４のいずれか一に記載の照明制御システム。
【発明の詳細な説明】
【技術分野】
【０００１】
本発明は、自動制御中に使用者の手動操作により照度の変更を行うことができる照明制御システムに関する。
【背景技術】
【０００２】
従来、この種の照明制御システムは、自動運転により周囲の照度が変化しても照明器具の明るさを変化させない固定調光度制御をしているもの、または周囲の明るさの変化に応じて照明器具の明るさを変化させて一定の照度に維持する一定照度制御をしているものがある。
【０００３】
上記いずれかの自動制御をしている場合において、使用者の操作により、任意の明るさになるよう調光度が変更される場合がある。このような場合には、システムが手動モードで動作しており、使用者によって自動運転モードに戻されない限り、手動運転を継続するような制御フローになっている。
【０００４】
また、特許文献１（特開２００１−１７６６７６号公報）には、大きな労力を要することなく、且つ隣接する照明制御単位の影響を含んだ明るさの目標値の設定ができる照明装置が開示されている。
【０００５】
この照明装置では、リモコン送信器により送られた設定用用調光命令を受信したリモコン受信器はその命令を制御部に送る。制御部は、この設定用調光命令を受け取ると、明るさセンサによるフィードバック制御を中止し、リモコン送信器での調光命令に従う調光信号を照明制御単位に属する各照明器具に送って各照明器具を手動調光状態とする。
【０００６】
この状態で各照明器具のランプ光の明るさがリモコン送信器の操作により調整され調整後、リモコン送信器から記憶命令がリモコン受信器で受信されると、制御部は内蔵タイマのタイマカウントを開始し予め設定している時間に達するまで、現在の調光レベルでの照明器具の調光制御を維持して当該調光レベルによるランプ出力を保持する、というものである。
【特許文献１】特開２００１−１７６６７６号公報（段落番号００４８、図４）
【発明の開示】
【発明が解決しようとする課題】
【０００７】
しかしながら、従来の方法では、手動制御を可能にしているため手動制御されたままになる可能性があり、最適な照度に制御されないばかりか、省エネが図れない問題があった。
【０００８】
また、特許文献１に開示された発明は、リモコン送信器による目標値設定の過程において、タイマーにより一定時間の固定調光動作を行うものであり、ある一定期間のみ使用者が所定の調光度で照明器具を動作させたいという要求の場合において、タイマーを動作させて駆動するものではない。
【０００９】
本発明は、使用者によって手動操作により所定時間任意照度の設定を許容し、所定時間経過後には自動的に自動制御に戻ることのできる照明制御システムを提供することを目的とする。
【課題を解決するための手段】
【００１０】
請求項１に記載の発明は、周囲の明るさを検出する明るさセンサと；明るさセンサの検出値に応じて調光制御される照明器具と；通常時には、前記明るさセンサの検出値に応じて目標値となるように前記照明器具の調光度を自動制御し、任意の調光度に変更する手動操作時には、手動操作を行った時点から時間の計測を開始し、所定の時間が経過すると、自動制御に移行するように制御する制御手段と；を具備していることを特徴とする。
【００１１】
請求項２に記載の発明は、請求項１の照明制御システムにおいて、前記計測は、計測中にさらに手動操作が行われる場合、計測を初期値に戻すことを特徴とする。
【００１２】
請求項３に記載の発明は、請求項１または２の照明制御システムにおいて、手動操作によって調光された調光度が、あらかじめ記憶している目標照度から推定される調光度より低いときは、手動操作を優先することを特徴とする。
【００１３】
請求項４に記載の発明は、請求項１または２の照明制御システムにおいて、手動操作によって調光された調光度が、あらかじめ記憶している目標調光度より低いときは、手動操作を優先することを特徴とする。
【００１４】
請求項５に記載の発明は、請求項１ないし４のいずれか一に記載の照明制御システムにおいて、手動操作制御から自動制御に移行する際には、調光度を徐々に変化させるフェード時間を有することを特徴とする。
【発明の効果】
【００１５】
請求項１に記載の発明によれば、一定の時間は使用者による任意照度の設定を許容するが、時間経過後に事前に設定した目標値での制御に自動的に戻るので、手動での制御を自動制御に戻し忘れた場合でも無駄な電力を消費する可能性を低減することができる。
【００１６】
請求項２に記載の発明によれば、使用者による任意照度の設定時間をさらに延長することができる。
【００１７】
請求項３または４に記載の発明によれば、自動制御に移行した後も手動操作によって調光された調光度により制御されるので、さらに省エネが図れる。
【００１８】
請求項５に記載の発明によれば、手動操作制御から自動制御に移行する際には、照度は徐々に変化するので、居住者は当該照度変化に違和感が少ない。
【発明を実施するための最良の形態】
【００１９】
以下、本発明の一実施の形態を示す照明制御システムの制御方法について説明する。図１は、本発明の一実施の形態を示す照明制御システムの構成図である。本照明制御システムは、周囲の明るさを検出する明るさセンサ１、明るさセンサ１の検出値に応じて調光制御される照明器具２およびこの照明器具２の調光度を自動制御する制御手段３を有し、信号線４を介して構成されている。
【００２０】
明るさセンサ１は、所定のエリアの照度を反射光によって測定することができるように天井５に設置されている。また、照明器具２には、調光制御できる電子安定器２ａとこの安定器２ａによって点灯される蛍光ランプ２ｂが設けられている。
【００２１】
制御手段３は、通常時には、前記明るさセンサ１の検出値に応じて目標値となるように前記照明器具２の調光度を自動制御し、任意の調光度に変更する手動操作時には、手動操作を行った時点から時間の計測を開始し、所定の時間が経過すると、自動制御に移行するように制御するように構成されている。この制御手段３により複数の照明器具２を制御することができる。
【００２２】
また、手動操作は、赤外線リモコンによる操作か、外部に設置した手動コントローラーからの信号により行うことができる。手動操作後の所定期間、照明器具の制御値は使用者の感覚により任意の値に制御される。
【００２３】
図２には、本照明制御システムの制御タイムチャート図が示されている。手動操作としての手動モードに移行すると、制御手段３に内臓されているタイマー装置により時間の計測を開始する（ｔ０）。計時は接点入力の変化もしくはリモコン操作により目標値制御に切換えられるまで継続され、計測値が所定の値に一致すると手動モードから目標値制御に強制的に切換を行うように制御される（ｔ１）。
【００２４】
また、図２において、手動操作から自動制御に移行する際には、調光度を徐々に変化させるフェード時間である区間終了まで照度は徐々に変化するので、居住者は当該照度変化に違和感が少ない（ｔ２）。
【００２５】
したがって、一定の時間は使用者による任意照度の設定を許容するが、時間経過後に事前に設定した目標値での制御に自動的に戻るので、手動での制御を自動制御に戻し忘れた場合でも無駄な電力を消費する可能性を低減することができる。
【００２６】
図３は、本実施の形態における他の制御タイムチャート図である。図において、計測は、計測中にさらに手動操作が行われる場合、計測を初期値に戻すようにしている。すなわち、計時開始の時期を変更した場合、計時開始は手動モードに移行した時点で開始するが、手動モードでの操作があると、計時値を初期化し、最初から計時を開始する（ｔ０，ｔ１，ｔ２）。
【００２７】
また、図４に示すように本照明制御システムにおいては、手動操作によって調光された調光度が、あらかじめ記憶している目標照度から推定される調光度（または、あらかじめ記憶している目標調光度）より低いときは、手動操作を優先させてもよい。すなわち、手動モードでの動作で調光度が自動制御での目標調光度より低い場合は計時を中止し、自動モードへの復帰を行わないようにする。計時は進行させ、自動モードへの復帰前に前記調光度の比較を行い、調光度が自動制御での目標調光度より低い場合は自動モードへの復帰をおこなわないようにしてもよい。この場合、自動制御に移行した後も手動操作によって調光された調光度により自動制御されるので、さらに省エネが図れる。
【００２８】
前記手動操作制御は、明かりセンサの検出値と任意の目標値の比較により、任意の目標値になるよう照明器具の明るさを制御する固定照度制御であってもよい。
【図面の簡単な説明】
【００２９】
【図１】本発明の一実施の形態を示す照明制御システムの構成図。
【図２】同じく、照明制御システムの制御タイムチャート図。
【図３】同じく、他の制御タイムチャート図。
【図４】同じく、他の制御タイムチャート図。
【符号の説明】
【００３０】
１…明るさセンサ、２…照明器具、３…制御手段、４…信号線。
【図１】
2005108541.tif 000003
【図２】
2005108541.tif 000004
【図３】
2005108541.tif 000005
【図４】
2005108541.tif 000006